(57)【要約】【課題】  成人男子用の衣服の半身の身頃を作図する場合に使いやすく、正確な図を画くことができる洋裁用製図定規を提供する。【解決手段】  男子用衣服の半身の身頃を作図するための定規であって、透明な板状部材により、外形が成人男子用の衣服の身頃の形状と相似形に形成されていると共に、所定部位にダーツ線が表示されていることを特徴とする。上記定規は、衣服の前身頃を作図するものと、後ろ身頃を作図するものとがあり、前身頃を作図する定規には、チェストダーツ線と、前ウエストダーツ線とが所定位置に表示され、後ろ身頃を作図する定規には、後ろ肩ダーツ線と、後ろウエストダーツ線とが所定位置に表示されている。【選択図】  図１
0003109618.tif 000002
【実用新案登録請求の範囲】
【請求項１】
男子用衣服の半身の身頃を作図するための定規であって、板状部材により、外形が成人男子用の衣服の身頃の形状と相似形に形成されていると共に、所定部位にダーツ線が表示されていることを特徴とする洋裁用製図定規。
【請求項２】
上記定規は、衣服の前身頃を作図するために使用され、上記定規の輪郭線は、前中心線、前衿ぐり線、前肩線、前袖ぐり線、前脇線、及び前ウエストラインにより構成されると共に、上記ダーツ線として、上記前袖ぐり線から斜め下方へ傾斜した略Ｖ字形に形成されたチェストダーツ線と、上記前ウエストラインから上方へ略逆Ｖ字形に形成された前ウエストダーツ線とが表示されていることを特徴とする請求項１記載の洋裁用製図定規。
【請求項３】
上記定規には、胸幅線、前袖ぐり幅線及び前チェストライン線が表示されると共に、前サイドネックポイント、前ショルダーポイント、前衿ぐり案内点、フロントネックポイント、チェストダーツ移動点、及びチェストポイントが表示され、さらに、上記チェストポイント、上記前ウエストダーツ線の先端位置、及び上記前袖ぐり幅線と上記前チェストライン線との交点に孔部が形成されていることを特徴とする請求項２記載の洋裁用製図定規。
【請求項４】
上記定規は、衣服の後ろ身頃を作図するために使用され、上記定規の輪郭線は、後ろ中心線、後ろ衿ぐり線、後ろ肩線、後ろ袖ぐり線、後ろ脇線、及び後ろウエストラインにより構成されると共に、上記ダーツ線として、上記後ろ肩線から下方へ略Ｖ字形に形成された後ろ肩ダーツ線と、上記後ろウエストラインから上方へ略逆Ｖ字形に形成された後ろウエストダーツ線とが表示されていることを特徴とする請求項１記載の洋裁用製図定規。
【請求項５】
上記定規には、後ろ肩基本線、背幅線、横背幅線、及び後ろチェストライン線が表示されると共に、後ろサイドネックポイント、バックネックポイント、頚椎点、後ろ衿ぐり案内点、ショルダーポイント、及び肩ダーツ移動点が表示され、さらに、上記後ろ肩ダーツ線の先端位置、上記後ろウエストダーツ線の先端位置、及び上記背幅線と上記後ろチェストライン線との交点に孔部が形成されていることを特徴とする請求項４記載の洋裁用製図定規。
【請求項６】
上記前後のウエストラインと上記前後のチェストライン線とは平行に形成されていることを特徴とする請求項２、３、４又は５記載の洋裁用製図定規。
【考案の詳細な説明】
【技術分野】
【０００１】
本考案は洋裁用製図定規に係り、特に、男性用衣服の身頃を作図する場合に使用される洋裁用製図定規に関する。
【背景技術】
【０００２】
洋裁により洋服を作製する場合には型紙を作る必要があるが、型紙を作る過程で型紙の製図が必要となり、型紙の製図のための製図用定規が必要となる。このような製図用定規は、例えば、洋裁を学ぶ学生にとって必需品となる。
【０００３】
そこで、衣服の図を正確に画くための洋裁用製図定規が従来より考案されている。
しかしながら、従来の定規は全身の身頃の図を画くように形成されていることから、半身の身頃を作図する場合には、使用しない片側半部が邪魔になり、作図の妨げとなる、という不具合があった。
【０００４】
そこで、本出願人は、先に、半身の身頃を作図する場合に使用して便利な洋裁用製図定規を出願した（特許文献１参照）。
【特許文献１】実願平１１−００７４６７
【０００５】
しかしながら、上記製図定規は成人女子用の身頃を作図するためのものであり、成人男子用の身頃を作図することはできなかった。
【考案の開示】
【考案が解決しようとする課題】
【０００６】
本考案の課題は、成人男子用の衣服の半身の身頃を作図する場合に使いやすく、正確な図を画くことができる洋裁用製図定規を提供することにある。
【課題を解決するための手段】
【０００７】
上記課題を解決するために、請求項１記載の本考案に係る洋裁用製図定規は、男子用衣服の半身の身頃を作図するための定規であって、透明な板状部材により、外形が成人男子用の衣服の身頃の形状と相似形に形成されていると共に、所定部位にダーツ線が表示されていることを特徴とする。
【０００８】
即ち、請求項１記載の本考案に係る洋裁用製図定規にあっては、定規の輪郭線に沿って線を画くことにより身頃の外形を画くことができるように、定規は成人男子用の衣服の身頃の形状と相似形に形成されている。
【０００９】
また、請求項２記載の本考案に係る洋裁用製図定規は、衣服の前身頃を作図するために使用され、上記定規の輪郭線は、前中心線、前衿ぐり線、前肩線、前袖ぐり線、前脇線、及び前ウエストラインにより構成されると共に、上記ダーツ線として、上記前袖ぐり線から斜め下方へ傾斜した略Ｖ字形に形成されたチェストダーツ線と、上記前ウエストラインから上方へ略逆Ｖ字形に形成された前ウエストダーツ線とが表示されていることを特徴とする。
【００１０】
即ち、請求項２記載の本考案に係る洋裁用製図定規にあっては、前身頃の輪郭線を正確に画くことができるように、その輪郭線を構成する前中心線、前衿ぐり線、前肩線、前袖ぐり線、前脇線、及び前ウエストラインが設けられている。
【００１１】
また、立体的で人体にフィットする前身頃を形成できるように、チェストダーツ線と、前ウエストダーツ線という2種類のダーツ線が設けられている。
【００１２】
また、請求項３記載の本考案に係る洋裁用製図定規は、上記定規には、胸幅線、前袖ぐり幅線及び前チェストライン線が表示されると共に、前サイドネックポイント、前ショルダーポイント、前衿ぐり案内点、フロントネックポイント、チェストダーツ移動点、及びチェストポイントが表示され、さらに、上記チェストポイント、上記前ウエストダーツ線の先端位置、及び上記前袖ぐり幅線と上記前チェストライン線との交点に孔部が形成されていることを特徴とする。
【００１３】
即ち、請求項３記載の本考案に係る洋裁用製図定規にあっては、前身頃を正確に作図する上で必要な基準線や基準ポイントとして、胸幅線、前袖ぐり幅線、前チェストライン線、前サイドネックポイント、前ショルダーポイント、前衿ぐり案内点、フロントネックポイント、チェストダーツ移動点、及びチェストポイントが表示されている。
【００１４】
また、定規の周縁より内方に位置する基準ポイントにも印が付けられるように、上記チェストポイント、上記前ウエストダーツ線の先端位置、及び上記前袖ぐり幅線と上記前チェストライン線との交点にはペン先を挿入しうる孔部が形成されている。
【００１５】
また、請求項４記載の本考案に係る洋裁用製図定規は、衣服の後ろ身頃を作図するために使用され、上記定規の輪郭線は、後ろ中心線、後ろ衿ぐり線、後ろ肩線、後ろ袖ぐり線、後ろ脇線、及び後ろウエストラインにより構成されると共に、上記ダーツ線として、上記後ろ肩線から下方へ略Ｖ字形に形成された後ろ肩ダーツ線と、上記後ろウエストラインから上方へ略逆Ｖ字形に形成された後ろウエストダーツ線とが表示されていることを特徴とする。
【００１６】
即ち、請求項４記載の本考案に係る洋裁用製図定規にあっては、後ろ身頃の輪郭線を正確に画くことができるように、その輪郭線を構成する後ろ中心線、後ろ衿ぐり線、後ろ肩線、後ろ袖ぐり線、後ろ脇線、及び後ろウエストラインが設けられている。
また、立体的で人体にフィットする後ろ身頃を形成できるように、後ろ肩ダーツ線と、後ろウエストダーツ線という2種類のダーツ線が設けられている。
【００１７】
また、請求項５記載の本考案に係る洋裁用製図定規は、上記定規には、後ろ肩基本線、背幅線、横背幅線、及び後ろチェストライン線が表示されると共に、後ろサイドネックポイント、バックネックポイント、頚椎点、後ろ衿ぐり案内点、ショルダーポイント、及び肩ダーツ移動点が表示されている。
また、定規の周縁の内方に位置する基準ポイントにも印が付けられるように、上記後ろ肩ダーツ線の先端位置、上記後ろウエストダーツ線の先端位置、及び上記背幅線と上記後ろチェストライン線との交点にペン先を挿入しうる孔部が形成されている。
【００１８】
即ち、請求項５記載の本考案に係る洋裁用製図定規にあっては、後ろ身頃を正確に作図する上で必要な基準線や基準ポイントとして、後ろ肩基本線、背幅線、横背幅線、後ろチェストライン線、後ろサイドネックポイント、バックネックポイント、頚椎点、後ろ衿ぐり案内点、ショルダーポイント、及び肩ダーツ移動点が表示されている。
また、定規の周縁から離れた位置にも印が付けられるように、上記チェストポイント、上記前ウエストダーツ線の先端位置、及び上記前袖ぐり幅線と上記前チェストライン線との交点にはペン先を挿入しうる孔部が形成されている。
【００１９】
また、請求項６記載の本考案に係る洋裁用製図定規は、上記前後のウエストラインと、上記前後のチェストライン線は水平に配置されていることを特徴とする。
【００２０】
即ち、請求項６記載の本考案に係る洋裁用製図定規にあっては、着用時の基本フォルムがウエストフィット型の成人男子用の衣服の半身の身頃を作図できるように、上記前後のウエストラインと、上記前後のチェストライン線は水平に配置されている。
【考案の効果】
【００２１】
請求項１記載の本考案に係る洋裁用製図定規は、男子用衣服の半身の身頃を作図するための定規であって、透明な板状部材により、外形が成人男子用の衣服の身頃の形状と相似形に形成されていると共に、所定部位にダーツ線が表示されていることから、この定規を使用することにより、成人男子用の衣服の半身の身頃を正確かつ容易に作図することができると共に、同身頃の作図における適切な位置にダーツ線をも正確に印すことができる。
【００２２】
また、請求項２記載の本考案に係る洋裁用製図定規は、上記定規は、衣服の前身頃を作図するために使用され、上記定規の輪郭線は、前中心線、前衿ぐり線、前肩線、前袖ぐり線、前脇線、及び前ウエストラインにより構成されると共に、上記ダーツ線として、上記前袖ぐり線から斜め下方へ傾斜した略Ｖ字形に形成されたチェストダーツ線と、上記前ウエストラインから上方へ略逆Ｖ字形に形成された前ウエストダーツ線とが表示されていることから、人体に合わせて立体化することが可能な前身頃を正確かつ容易に作図することができる。特に、上記チェストダーツ線により大胸筋の形に合う前身頃を作図することができると共に、上記前ウエストダーツ線により人体のシルエットに合う前身頃を作図することができる。
【００２３】
また、請求項３記載の本考案に係る洋裁用製図定規は、上記定規には、胸幅線、前袖ぐり幅線及び前チェストライン線が表示されると共に、前サイドネックポイント、前ショルダーポイント、前衿ぐり案内点、フロントネックポイント、チェストダーツ移動点、及びチェストポイントが表示され、さらに、上記チェストポイント、上記前ウエストダーツ線の先端位置、及び上記前袖ぐり幅線と上記前チェストライン線との交点に孔部が形成されていることから、上記前身頃の作図中に、上記胸幅線、チェストダーツ線、前袖ぐり幅線、前チェストライン線、前サイドネックポイント、前ショルダーポイント、前衿ぐり案内点、フロントネックポイント、チェストダーツ移動点、及びチェストポイントも容易に作図することができる。
また、上記チェストポイント、上記前ウエストダーツ線の先端位置、及び上記前袖ぐり幅線と上記前チェストライン線との交点に孔部が形成されていることから、その孔部の中にペン先を挿入して上記チェストポイント、上記前ウエストダーツ線の先端位置、及び上記前袖ぐり幅線と上記前チェストライン線との交点を正確に印すことができる。
【００２４】
また、請求項４記載の本考案に係る洋裁用製図定規は、上記定規は、衣服の後ろ身頃を作図するために使用され、上記定規の輪郭線は、後ろ中心線、後ろ衿ぐり線、後ろ肩線、後ろ袖ぐり線、後ろ脇線、及び後ろウエストラインにより構成されると共に、上記ダーツ線として、上記後ろ肩線から下方へ略Ｖ字形に形成された後ろ肩ダーツ線と、上記後ろウエストラインから上方へ略逆Ｖ字形に形成された後ろウエストダーツ線とが表示されていることから、人体に合わせて立体化することが可能な後ろ身頃を正確かつ容易に作図することができる。特に、上記後ろ肩ダーツ線により肩甲骨、僧帽筋の張りに合う後ろ身頃を作図することができると共に、上記後ろウエストダーツ線により人体のシルエットに合う後ろ身頃を作図することができる。
【００２５】
また、請求項５記載の本考案に係る洋裁用製図定規は、上記定規には、後ろ肩基本線、背幅線、横背幅線、及び後ろチェストライン線が表示されると共に、後ろサイドネックポイント、バックネックポイント、頚椎点、後ろ衿ぐり案内点、ショルダーポイント、及び肩ダーツ移動点が表示され、さらに、上記後ろ肩ダーツ線の先端位置、上記後ろウエストダーツ線の先端位置、及び上記背幅線と上記後ろチェストライン線との交点に孔部が形成されていることから、上記後ろ身頃の作図中に、上記後ろ肩基本線、背幅線、横背幅線、後ろチェストライン線、後ろウエストライン、後ろサイドネックポイント、バックネックポイント、頚椎点、後ろ衿ぐり案内点、ショルダーポイント、及び肩ダーツ移動点も容易に作図することができる。    
また、上記後ろ肩ダーツ線の先端位置、上記後ろウエストダーツ線の先端位置、及び上記背幅線と上記後ろチェストライン線との交点に孔部が形成されていることから、その孔部の中にペン先を挿入して上記チェストポイント、上記後ろ肩ダーツ線の先端位置、上記後ろウエストダーツ線の先端位置、及び上記背幅線と上記後ろチェストライン線との交点を正確に印すことができる。
【００２６】
また、請求項６記載の本考案に係る洋裁用製図定規は、上記前後のウエストラインと、上記前後のチェストライン線は水平に配置されていることから、着用時の基本フォルムがウエストフィット型の成人男子用の衣服の半身の身頃を正確かつ容易に作図することができる。
【考案を実施するための最良の形態】
【００２７】
以下、図面を用いて本発明の実施の形態について説明する。
本実施の形態に係る洋裁用製図定規１１，４１は、図１及び図２に示すように、男子用衣服の半身の身頃を作図するための定規１１，４１であって、透明な板状部材１２，６５により、外形が成人男子用の衣服の身頃の形状と相似形に形成されていると共に、所定部位にダーツ線２２，２３，５１，５２が表示されている。
【００２８】
また、上記定規１１は、図１に示すように、衣服の前身頃を作図するために使用され、上記定規の輪郭線は、前中心線１３、前衿ぐり線１４、前肩線１５、前袖ぐり線１６、前脇線１７、及び前ウエストライン１８により構成されると共に、上記ダーツ線２２，２３として、上記前袖ぐり線１６から斜め下方へ傾斜した略Ｖ字形に形成されたチェストダーツ線２２と、上記前ウエストライン１８から上方へ略逆Ｖ字形に形成された前ウエストダーツ線２３とが表示されている。
【００２９】
また、上記定規１１には、図１に示すように、胸幅線２０、前袖ぐり幅線２１、及び前チェストライン線１９が表示されると共に、前サイドネックポイント３１、前ショルダーポイント３２、前衿ぐり案内点２８、フロントネックポイント３０、チェストダーツ移動点２９、及びチェストポイント２４が表示され、さらに、上記チェストポイント２４、上記前ウエストダーツ線２３の先端位置２５、及び上記前袖ぐり幅線２１と上記前チェストライン線１９との交点２６に孔部２７が形成されている。
【００３０】
また、上記定規４１は、図２に示すように、衣服の後ろ身頃を作図するために使用され、上記定規４１の輪郭線は、後ろ中心線４２、後ろ衿ぐり線４３、後ろ肩線４４、後ろ袖ぐり線４５、後ろ脇線４６、及び後ろウエストライン４７により構成されると共に、上記ダーツ線５１，５２として、上記後ろ肩線４４から下方へ略Ｖ字形に形成された後ろ肩ダーツ線５１と、上記後ろウエストライン４７から上方へ略逆Ｖ字形に形成された後ろウエストダーツ線５２とが表示されている。
【００３１】
また、上記定規４１には、図２に示すように、後ろ肩基本線４８、背幅線５８、横背幅線４９、及び後ろチェストライン線５０が表示されると共に、後ろサイドネックポイント５１、バックネックポイント６２、頚椎点５９、後ろ衿ぐり案内点６１、後ろショルダーポイント６４、及び肩ダーツ移動点６０が表示され、さらに、上記後ろ肩ダーツ線５１の先端位置５３、上記後ろウエストダーツ線５２の先端位置５４、及び上記背幅線５８と上記後ろチェストライン線５０との交点５７に孔部５７が形成されている。
また、図１及び図２に示すように、上記前後のウエストライン１８，４７と、上記前後のチェストライン線１９，５０は水平に配置されている。
【実施例１】
【００３２】
図１は実施例１に係る洋裁用製図定規１１を示したものである。
この洋裁用製図定規１１は、特に男子用衣服の半身の前身頃を作図する場合に使用されるものである。
【００３３】
上記洋裁用製図定規１１は、透明なプラスチックを素材とする板状部材１２により形成され、外形が成人男子用の衣服の前身頃の形状と相似形に形成されている。
【００３４】
即ち、上記洋裁用製図定規１１の輪郭線は、前中心線１３、前衿ぐり線１４、前肩線１５、前袖ぐり線１６、前脇線１７、及び前ウェストライン１８により構成されている。
【００３５】
上記前中心線１３は直線により形成され、上下方向に沿って形成されている。
【００３６】
上記前衿ぐり線１４は凹状の湾曲線により形成され、上記前中心線１３の上端から外方の斜め上方へ向かって連続的に形成されている。
【００３７】
上記前肩線１５は直線により形成され、上記前衿ぐり線１４の上端から外方の斜め下方へ向かって傾斜して連続的に形成されている。
【００３８】
上記前袖ぐり線１６は凹状の湾曲線により形成され、上記前肩線１５の下端から下方へ向かって連続的に形成されている。
【００３９】
上記前脇線１７は直線により形成され、上記前袖ぐり線１６の下端から下方へ向かって
上記中心線１３と平行に、連続的に形成されている。
なお、上記前脇線１７と上記前中心線１３は略平行に配置されている。
【００４０】
上記前ウェストライン１８は直線により形成され、上記前脇線１７の下端から内方へ向かって直角に連続的に形成され、その先端は上記前中心線１３の下端に接続している。
【００４１】
また、上記洋裁用製図定規１１には、前チェストライン線１９、胸幅線２０、前袖ぐり幅線２１が表示されている。
【００４２】
上記前チェストライン線１９は直線により形成され、上記前袖ぐり線１６の下端から内方へ向かって上記前脇船１７に対して直角に形成されている。
従って、上記前チェストライン線１９と上記前ウエストライン１８は平行に配置されている。
【００４３】
上記胸幅線２０は直線により形成され、上記前肩線１５の下端近傍から上記前チェストライン線１９まで、上下方向に沿って、上記前中心線１３と平行に形成されている。
【００４４】
上記前袖ぐり幅線２１は直線により形成され、上記前袖ぐり線１６の略中間部から上記前チェストライン線１９まで、上下方向に沿って、上記前中心線１３と平行に形成されている。
【００４５】
また、上記洋裁用製図定規１１には、２種類のダーツ線２２，２３が表示されている。
【００４６】
上記ダーツ線の一方はチェストダーツ線２２であり、このチェストダーツ線２２は、上記前袖ぐり線１６の略中間部から内方の斜め下方へ向かって斜めに鋭角的に略Ｖ字形に形成されている。
【００４７】
また、上記ダーツ線の他方は前ウェストダーツ線２３であり、この前ウェストダーツ線２３は、上記前ウェストライン１８における上記前脇線１７寄りの２箇所から上方へ向かって鋭角的に略逆Ｖ字形に形成されている。
【００４８】
また、上記洋裁用製図定規１１には、上記チェストダーツ線２２の先端位置であるチェストポイント２４に孔部２７が形成されている。
また、上記前ウェストダーツ線２３の先端位置２５と、上記前袖ぐり幅線２１と上記前チェストライン線１９との交点２６にもそれぞれ孔部２７が形成されている。
【００４９】
また、上記洋裁用製図定規１１には、上記前衿ぐり線１４における下端近傍に前衿ぐり案内点２８が表示されると共に、上記前中心線１３における上記前チェストライン線１９の上方近傍にチェストダーツ移動点２９が表示されている。
【００５０】
また、上記洋裁用製図定規１１には、上記前中心線１３の上端位置において上記中心線１３と衿ぐり線１４との接合部位にフロントネックポイント３０が表示されると共に、上記前衿ぐり線１４の上端位置において前衿ぐり線１４と前肩線１５との接合部位に前サイドネックポイント３１が表示され、さらに、上記前肩線１５の下端位置には前肩線１５と前袖ぐり線１６との接合部位に前ショルダーポイント３２が表示されている。
【実施例２】
【００５１】
図２は実施例２に係る洋裁用製図定規４１を示したものである。
この洋裁用製図定規４１は、特に男子用衣服の半身の後ろ身頃を作図する場合に使用されるものである。
【００５２】
上記洋裁用製図定規４１は、透明なプラスチックを素材とする板状部材６５により形成され、輪郭形状は成人男子用の衣服の後ろ身頃の形状と相似形に形成されている。
【００５３】
即ち、上記洋裁用製図定規４１の輪郭線は、後ろ中心線４２、後ろ衿ぐり線４３、後ろ肩線４４、後ろ袖ぐり線４５、後ろ脇線４６、及び後ろウエストライン４７により構成されている。
【００５４】
上記後ろ中心線４２は直線であって上記洋裁用製図用定規４１の上下方向に沿って形成されている。
【００５５】
上記後ろ衿ぐり線４３は凹状の湾曲線により形成され、上記後ろ中心線４２の上端から洋裁用製図用定規４１の内方へ向かって連続的に形成されている。上記後ろウェストライン４７は直線により形成され、上記後ろ脇線４６の下端から内方へ向かって連続的に水平に形成され、その先端は上記後ろ中心線４２の下端に接続している。
【００５６】
上記後ろ肩線４４は直線により形成され、上記後ろ衿ぐり線４３の上端から外方の斜め下方へ向かって連続的に形成されている。
上記後ろ肩線４４は上端近傍の途中箇所に小段部６６が形成され、その小段部６６から下方部位は下方へ至る傾斜を以って形成されている。
【００５７】
上記後ろ袖ぐり線４５は洋裁用製図定規４１の長さ方向の略中間部へ至る凹状の湾曲線により形成され、上記後ろ肩線４４の下端から下方へ向かって連続的に形成されている。
【００５８】
上記後ろ脇線４６は直線により形成され、上記後ろ袖ぐり線４５の下端から下方へ向かって連続的に形成されている。上記後ろ脇線４６と上記後ろ中心線４２は平行に形成されている。
【００５９】
また、上記洋裁用製図定規４１には、後ろ肩基本線４８、横背幅線４９、後ろチェストライン線５０、背幅線５８が表示されている。
【００６０】
上記後ろ肩基本線４８は直線により形成され、上記後ろ肩線４４の内側に配置され、上記後ろ衿ぐり線４３の上端位置と、上記後ろ袖ぐり線４５の上端位置を結ぶように形成されている。
【００６１】
上記横背幅線４９は直線により形成され、上記後ろ袖ぐり線４５の上下方向略中間部から後ろ中心線４２に対してウェストライン４７と平行に形成されている。
【００６２】
上記後ろチェストライン線５０は直線により形成され、上記後ろ袖ぐり線４５の下端から内方へ向かって、上記ウェストライン４７と平行に形成されている。
【００６３】
上記背幅線５８は直線により形成され、上記後ろ肩線４４の下端近傍から上記後ろチェストライン線５０まで、上記後ろ袖ぐり線４５に内接するように上下方向に沿って形成され、上記後ろ中心線４２と平行に配置されている。
【００６４】
また、上記洋裁用製図定規４１には、２種類のダーツ線５１，５２が表示されている。
【００６５】
上記ダーツ線の一方は後ろ肩ダーツ線５１であり、この後ろ肩ダーツ線５１は、上記後ろ肩線４４における小段部６６から下方へ向かって鋭角的な略Ｖ字形に形成されている。
【００６６】
また、上記ダーツ線の他方は後ろウェストダーツ線５２であり、この後ろウェストダーツ線５２は、ウェストライン４７から上方へ向かって、幅方向に沿って３箇所に形成され、第一後ろウェストダーツ線５２ａと、第二後ろウェストダーツ５２ｂと、第３後ろウェストダーツ線５２ｃにより構成され、上記第一後ろウェストダーツ線５２ａは、先端部が上記後ろ袖ぐり線４５の近傍に至る位置に形成され、上記第二後ろウェストダーツ線５２ｂは幅方向の略中間部において、上記第一後ろウェストダーツ線５２ａと略同一の高さ寸法に配置されている。
上記第３後ろウェストダーツ線５２ｃは、上記後ろ中心線４２に沿って形成され、先端部が上記横背幅線４９の近傍に至るように配置されている。
【００６７】
また、上記洋裁用製図定規４１には、上記後ろ肩ダーツ線５１の先端位置５３と、上記後ろウェストダーツ線５２の先端位置５４，５５とに夫々孔部５７が形成されている。
また、上記背幅線５８と、上記後ろチェストライン線５０との交点５６にも孔部５７が形成されている。
【００６８】
また、上記洋裁用製図定規４１には、上記後ろ中心線４２の上端近傍に頚椎点５９が表示されると共に、上記後ろ中心線４２における上記横背幅線４９の上方近傍と、上記後ろ袖ぐり線４５における上記横背幅線４９の上方近傍とにそれぞれ肩ダーツ移動点６０が表示されている。
また、上記後ろ衿ぐり線４３における上端近傍には後ろ衿ぐり案内点６１が表示されている。
【００６９】
また、上記洋裁用製図定規４１には、上記後ろ中心線４２の上端位置にバックネックポイント６２が表示されると共に、上記後ろ衿ぐり線４３の上端位置に後ろサイドネックポイント６３が表示され、さらに、上記後ろ肩線４４の下端位置には後ろショルダーポイント６４が表示されている。
【００７０】
次に、上記実施例に係る洋裁用製図定規１１，４１の作用について説明する。
成人男子用衣服の前身頃を作図する場合は、一方の上記洋裁用製図定規１１を使用し、成人男子用衣服の後ろ身頃を作図する場合は、他方の上記洋裁用製図定規４１を使用する。
そして、紙の上に上記洋裁用製図定規１１を載置し、その輪郭線に沿って、上記前中心線１３、前衿ぐり線１４、前肩線１５、前袖ぐり線１６、前脇線１７、及び前ウェストライン１８に沿って筆記具を移動させることにより紙に線を引けば、前身頃の外形を作図することができる。
【００７１】
また、紙の上に上記洋裁用製図定規４１を載置し、その輪郭線に沿って、即ち、上記後ろ中心線４２、後ろ衿ぐり線４３、後ろ肩線４４、後ろ袖ぐり線４５、後ろ脇線４６、及び後ろウェストライン４７に沿って筆記具を移動させることにより紙に線を引けば、後ろ身頃の外形を作図することができる。
【００７２】
なお、上記洋裁用製図定規１１，４１によって画くことができる前身頃と後ろ身頃は、実物の衣服の前身頃と後ろ身頃を縮尺したものであることから、実物と同形の前身頃及び後ろ身頃を作図する場合は、縦方向及び横方向に同じ割合で拡大できるものである。
【００７３】
また、前身頃と後ろ身頃を人体に合わせて立体化したい場合は、所定位置にダーツを入れる必要があるが、上記洋裁用製図定規１１，４１には、上記チェストダーツ線２２、上記前ウエストダーツ線２３、上記後ろ肩ダーツ線５１、上記後ろエストダーツ線５２が表示されているので、これらの線に沿って線を引けば正確な位置にダーツの入った前身頃と後ろ身頃を作図することができる。
【００７４】
また、上記洋裁用製図定規１１には、胸幅線２０、前袖ぐり幅線２１、及び前チェストライン線１９が表示されると共に、前サイドネックポイント３１、前ショルダーポイント３２、前衿ぐり案内点２８、フロントネックポイント３０、チェストダーツ移動点２９、及びチェストポイント２４が表示されており、また、上記洋裁用製図定規４１には、後ろ肩基本線４８、背幅線５８、横背幅線４９、後ろチェストライン線５０、及び後ろウェストライン４７が表示されると共に、後ろサイドネックポイント６３、バックネックポイント６２、頚椎点５９、後ろ衿ぐり案内点６１、後ろショルダーポイント６４、及び肩ダーツ移動点６０が表示されていることから、これらの基準線や基準点に目印を付けて線を引くことにより、より正確な前身頃と後ろ身頃を作図することができる。
【００７５】
また、上記洋裁用製図定規１１における上記チェストポイント２４と、上記前ウェストダーツ線２３の先端位置２５と、上記前袖ぐり幅線２１と上記前チェストライン線１９との交点２６にそれぞれ孔部２７が形成されていると共に、上記洋裁用製図定規４１における上記後ろ肩ダーツ線５１の先端位置５３と、上記後ろウエストダーツ線５２の先端位置５４，５５とに夫々孔部５７が形成されていることから、それらのポイントが定規の周縁から離れていても、その孔部２７，５７にペン先を挿入することにより確実に目印を付けることができ、これにより上記ダーツ線の先端位置等を正確に配置することができる。
【００７６】
また、上記前後のウエストライン１８，４７と、上記前後のチェストライン線１９，５０が水平に配置されていることから、着用時の基本フォルムがウエストフィット型の成人男子用の衣服の半身の身頃を正確かつ容易に作図することができる。
【産業上の利用可能性】
【００７７】
本考案の洋裁用製図定規は、衣服の製作に使用する定規に適用可能である。
【図面の簡単な説明】
【００７８】
【図１】本考案に係る洋裁用製図定規を示し、実施例１に係る洋裁用製図定規の平面図である。
【図２】本考案にか係る洋裁用製図定規を示し、実施例２に係る洋裁用製図定規の平面図である。
【符号の説明】
【００７９】
１１  洋裁用製図定規  
１２  板状部材
１３  前中心線
１４  前衿ぐり線
１５  前肩線
１６  前袖ぐり線
１７  前脇線
１８  前ウエストライン
１９  前チェストライン線
２０  胸幅線
２１  前袖ぐり幅線
２２  チェストダーツ線
２３  前ウエストダーツ線
２４  チェストポイント
２５  前ウェストダーツ線の先端位置
２６  前袖ぐり幅線と前チェストライン線との交点
２７  孔部
２８  前衿ぐり案内点
２９  チェストダーツ移動点
３０  フロントネックポイント
３１  前サイドネックポイント
３２  前ショルダーポイント
４１  定規
４２  後ろ中心線
４３  後ろ衿ぐり線
４４  後ろ肩線
４５  後ろ袖ぐり線
４６  後ろ脇線
４７  後ろウエストライン
４８  後ろ肩基本線
４９  横背幅線
５０  後ろチェストライン線
５１  後ろ肩ダーツ線
５２  後ろウエストダーツ線
５３  上記後ろ肩ダーツ線の先端位置
５４  後ろウェストダーツ線の先端位置
５５  後ろウェストダーツ線の先端位置
５６  背幅線と後ろチェストライン線との交点
５７  孔部
５８  背幅線
５９  頚椎点
６０  肩ダーツ移動点
６１  後ろ衿ぐり案内点
６２  バックネックポイント
６３  後ろサイドネックポイント
６４  後ろショルダーポイント
６５  板状部材
６６  小段部
【図１】
0003109618.tif 000003
【図２】
0003109618.tif 000004